【手続補正書】
【提出日】平成18年10月17日(2006.10.17)
【手続補正１】
【補正対象書類名】明細書
【補正対象項目名】特許請求の範囲
【補正方法】変更
【補正の内容】
【特許請求の範囲】
【請求項１】  細断された繊維質の材料を集めて、受けた細断繊維を移動する収集表面１０２の上に堆積させる空気砲１００であって、前記空気砲１００が、
空気アンプ１０４であって、前記細断繊維を受ける入口１１０と、出口１１２と、前記空気アンプ１０４を通って前記入口１１０から前記出口１１２へと延びる通路を形成する内側部分１１４とを備え、前記空気アンプ１０４は前記空気アンプ１０４の前記通路１１６に入って空気通路を通る圧縮空気によって駆動され、前記空気アンプ１０４の前記内側部分１１４の少なくとも一部分は耐摩耗性材料で形成されているような上記空気アンプと、
出口円錐体１０６であって、前記空気アンプ１０４の前記出口１１２と隣接している入口端部１２８と、前記移動する収集表面１０２に細断繊維を向けるための出口端部１２９とを有するような上記出口円錐体とを備えていることを特徴とする空気砲。
【請求項２】  前記内側部分１１４は、第１の部分、第２の部分及び、前記通路を構成するために該第１の部分と該第２の部分との間に位置決めされたスペーサ部分とを有し、前記第１の部分及び前記第２の部分の少なくとも１つは、耐磨耗性材料から形成された内表面を有する、請求項１記載の空気砲１００。
【請求項３】  前記空気アンプ１０４の前記内側部分１１４の実質的にすべてが前記耐摩耗性材料で形成されていることを特徴とする請求項１記載の空気砲１００。
【請求項４】  前記耐摩耗性材料は金属カーバイドから構成されていることを特徴とする請求項１記載の空気砲１００。
【請求項５】  前記耐摩耗性材料は金属カーバイドのコーティングされたグラファイトから構成されていることを特徴とする請求項４記載の空気砲１００。
【請求項６】  前記金属カーバイドはチタニウムカーバイド、タングステンカーバイド、又はクロムカーバイドのうちのいずれかから選択されることを特徴とする請求項４記載の空気砲１００。
【請求項７】  前記耐摩耗性材料はおよそ０．００４５インチ（０．０１１４ｃｍ）からおよそ０．００７５インチ（０．０１９１ｃｍ）までの厚さを有することを特徴とする請求項１記載の空気砲１００。
【請求項８】  前記耐摩耗性材料はおよそ０．００６インチ（０．０１５２ｃｍ）の厚さを有することを特徴とする請求項７記載の空気砲１００。
【請求項９】  前記耐摩耗性材料の微小硬度はおよそ２５００のビッカース硬度（１００ｇ荷重）よりも大きいことを特徴とする請求項１記載の空気砲１００。
【請求項１０】  前記空気アンプ１０４は前記空気アンプ１０４の前記内側部分１１４を形成する内側表面１２４を有するシェル１０８を備えていることを特徴とする請求項１記載の空気砲１００。
【請求項１１】  前記空気アンプ１０４は、シェル１０８と、前記空気アンプ１０４の前記内側部分１１４を形成する内側表面１２４を有する挿入構造物１１８とを備え、前記挿入構造物１１８は前記シェル１０６に受け入れられていることを特徴とする請求項１記載の空気砲１００。
【請求項１２】  前記挿入構造物１１８の一部分は前記シェル１０８に接着剤で接着されていることを特徴とする請求項１１記載の空気砲１００。
【請求項１３】  前記シェル１０８はアルミニウム、鋼、ステンレス鋼、プラスチック、又はガラスのうちから選択された材料で形成されていることを特徴とする請求項１１記載の空気砲１００。
【請求項１４】  前記挿入構造物１１８は切詰められた円錐形の第１の部分１１８Ａと切詰められた円錐形の第２の部分１１８Ｂとを備えていることを特徴とする請求項１１記載の空気砲１００。
【請求項１５】  前記第１の部分１１８Ａと前記第２の部分１１８Ｂとは別々の異なった構成要素であることを特徴とする請求項１４記載の空気砲１００。
【請求項１６】  細断された繊維質の材料を集めて、受けた細断繊維を移動する収集表面１０２の上に堆積させる空気砲１００であって、前記空気砲１００が、
空気アンプ１０４であって、前記細断繊維を受ける入口１１０と、出口１１２と、前記空気アンプ１０４を通って前記入口１１０から前記出口１１２へと延びる通路を形成する内側部分１１４とを備え、前記空気アンプ１０４はシェル１０８と前記シェル１０８に結合された挿入構造物１１８と備え、前記挿入構造物１１８は前記空気アンプ１０４の前記内側部分１１４を形成する内側表面１２４を有し、前記挿入構造物１１８はチタニウムカーバイドから形成されて切詰められた円錐形の第１の部分１１８Ａと切詰められた円錐形の第２の部分１１８Ｂとを備え、前記空気アンプ１０４は前記空気アンプ１０４の前記通路１１６に入って前記第１の部分１１８Ａと前記第２の部分１１８Ｂとの間の空気通路を通る圧縮空気によって駆動されるような上記空気アンプと、
出口円錐体１０６であって、前記空気アンプ１０４の前記出口１１２と隣接している入口端部１２８と、前記移動する収集表面１０２に細断繊維を向けるための出口端部１２９とを有するような上記出口円錐体とを備えていることを特徴とする空気砲。
【請求項１７】  前記挿入構造物１１８は、前記通路１１６を構成するために、前記第１の部分１１８Ａと前記第２の部分１１８Ｂとの間に位置決めされたスペーサ部分をさらに有する、ことを特徴とする請求項１６記載の装置。
【請求項１８】  細断された繊維質の材料を集めて、この細断繊維を受けて移動する収集表面１０２上へ堆積する装置であって、前記装置は少なくともひとつの空気砲１００を備え、前記少なくともひとつの空気砲１００が、
空気アンプ１０４であって、前記細断繊維を受ける入口１１０と、出口１１２と、前記空気アンプ１０４を通って前記入口１１０から前記出口１１２へと延びる通路（１１６）を形成する内側部分１１４とを備え、前記空気アンプ１０４は前記空気アンプ１０４の前記通路１１６に入って空気通路を通る圧縮空気によって駆動され、前記空気アンプ１０４の前記内側部分１１４の少なくとも一部分は耐摩耗性材料で形成されているような上記空気アンプと、
出口円錐体１０６であって、前記空気アンプ１０４の前記出口１１２と隣接している入口端部１２８と、前記移動する収集表面１０２に細断繊維を向けるための出口端部１２９とを有するような上記出口円錐体とを備えていることを特徴とする装置。
【請求項１９】  前記内側部分１１４は、第１の部分、第２の部分及び、前記通路を構成するために該第１の部分と該第２の部分との間に位置決めされたスペーサ部分とを有し、前記第１の部分及び前記第２の部分の少なくとも１つは、耐磨耗性材料から形成された内表面を有する、請求項１８記載の装置。
【請求項２０】  前記内側部分１１４の実質的にすべてが前記耐摩耗性材料で形成されていることを特徴とする請求項１８記載の装置。
【請求項２１】  前記耐摩耗性材料は金属カーバイドから構成されていることを特徴とする請求項２０記載の装置。
【請求項２２】  前記装置は、前記移動する収集表面１０２を横断するように取付けられた少なくともひとつの列１３０をなす空気砲１００を備え、前記列１３０は複数の空気砲１００を備え、これらの空気砲は互いの干渉を抑えるように配置されていることを特徴とする請求項２１記載の装置。
【請求項２３】  複数の略Ｌ字形のロッド１３６であって、前記複数の空気砲１００を取付けて交互の空気砲を前記移動する収集表面１０２の動きに対する上流線１００Ａ，１００Ｃ，１００Ｅ，１００Ｇと下流線１００Ｂ，１００Ｄ，１００Ｆとへ向けて、それにより前記複数の空気砲１００同士の干渉を抑えるような上記ロッドを備え、前記Ｌ字形のロッド１３６は支持フレームに取付けられている略水平な足部１３６Ｈと前記空気砲１００が固定されている略垂直な足部１３６Ｖとを有し、Ｌ字形のロッド１３６はその略水平１３６Ｈと略垂直１３６Ｖとの足部の間に交互に鋭角１４０と鈍角１４２とを有し、交互の空気砲を上流線１００Ａ，１００Ｃ，１００Ｅ，１００Ｇと下流線１００Ｂ，１００Ｄ，１００Ｆとへ向けるような上記ロッドをさらに備えていることを特徴とする請求項２２記載の装置。
【請求項２４】  前記取付けロッドの前記略水平の足部１３６Ｈは、前記空気砲１００を前記移動する収集表面１０２の横断方向へ動かすべく、前記支持フレーム１３８に回転するように取付けられ、さらに、前記Ｌ字形のロッド１３６の前記略水平な足部１３６Ｈの回転位置を調節すべく、前記略水平な足部１３６Ｈに固定された調節アーム１５０を備えていることを特徴とする請求項２３記載の装置。
【請求項２５】  前記調節アーム１５０に関連するロック装置をさらに備え、前記調節アーム１５０をロックして、もって前記略水平な足部１３６Ｈを所望の回転位置にロックすることを特徴とする請求項２４記載の装置。
【請求項２６】  前記ロック装置は、前記調節アーム１５０の長円孔１５４を通り抜けるアイボルト１５６と前記アイボルト１５６にピボット自在に取付けられたカムレバー１５８とを備え、前記カムレバー１５８の一方の位置においては前記調節アーム１５０が解放されて前記調節アーム１５０を前記長円孔１５４と前記アイボルト１５６とによって定められた制限内にて動かすことができると共に、他方の位置においては前記調節アーム１５０を前記支持フレーム１３８に固定して、前記取付けロッドの調節状態を維持して、それにより前記空気砲１００の横断方向の位置決めをすることを特徴とする請求項２５記載の装置。
【請求項２７】  前記出口円錐体１０６は前記空気アンプ１０４に固定されていることを特徴とする請求項２６記載の装置。
【請求項２８】  前記装置が前記移動する収集表面１０２を横断するように取付けられた２つの列の空気砲１００を備えていることを特徴とする請求項２７記載の装置。